【手続補正書】
【提出日】平成19年9月22日(2007.9.22)
【手続補正１】
【補正対象書類名】明細書
【補正対象項目名】０００５
【補正方法】変更
【補正の内容】
【０００５】
従って、より大きな開口部と、より広域な中心波長調整範囲を有し、製造効率が改善されたＶＢＧフィルターの製造システムおよび方法が利用可能であれば望ましい。
この出願の発明に関連する先行技術文献情報としては、以下のものがある（国際出願日以降国際段階で引用された文献及び他国に国内移行した際に引用された文献を含む）。
【特許文献１】米国特許第４，０５７，４０８号明細書
【特許文献２】米国特許第４，５１４，０５３号明細書
【特許文献３】米国特許第５，４９１，５７０号明細書
【特許文献４】米国特許第５，６８４，６１１号明細書
【特許文献５】米国特許第５，６９１，９８９号明細書
【特許文献６】米国特許第５，７９６，０９６号明細書
【特許文献７】米国特許第６，２６９，２０３号明細書
【特許文献８】米国特許第６，５８６，１４１号明細書
【特許文献９】米国特許出願公開第２００１／００２８４８３号明細書
【特許文献１０】米国特許出願公開第２００２／００４５１０４号明細書
【特許文献１１】米国特許出願公開第２００２／０１７６１２６号明細書
【特許文献１２】ソビエト連邦国特許第１７８−４２９号明細書
【特許文献１３】米国特許第４，０９５，８７５号明細書
【特許文献１４】米国特許第４，９４２，１０２号明細書
【特許文献１５】米国特許第５，１１５，３３８号明細書
【特許文献１６】米国特許第６，５８６，１４１号明細書
【特許文献１７】米国特許第６，６７３，４９３号明細書
【非特許文献１】ボーグマン，ヴィー．エー．（Ｂｏｒｇｍａｎ，Ｖ．Ａ．，）ら、「珪酸塩ガラスにおける光熱屈折の効果（Ｐｈｏｔｏｔｈｅｒｍａｌ  ｒｅｆｒａｃｔｉｖ  ｅｆｆｅｃｔ  ｉｎ  ｓｉｌｉｃａｔｅ  ｇｌａｓｓｅｓ）」，Ｓｏｖ．Ｐｈｙｓ．Ｄｏｒｋｌ．，１１月、１９８９年、ｐ．１０１１−１０１３
【非特許文献２】ボレーリ，エヌ．エフ．（Ｂｏｒｒｅｌｌｉ，Ｎ．Ｆ．）ら、「感光ガラスとガラスセラミック（Ｐｈｏｔｏｓｅｎｓｉｔｉｖｅ  ｇｌａｓｓｅｓ  ａｎｄ  ｇｌａｓｓ−ｃｅｒａｍｉｃｓ）」，ガラス処理誌(Ｇｌａｓｓ  Ｐｒｏｃｅｓｓｉｎｇ），ｐ．４３９−４４４
【非特許文献３】ブリーア，エス．（Ｂｒｅｅｒ，Ｓ．）ら、「ニオブ酸リチウムの熱的に固定された反射ホログラムからのブラッグ回折による低クロストークＷＤＭ(Ｌｏｗ−ｃｒｏｓｓｔａｌｋ  ＷＤＭ  ｂｙ  ｂｒａｇｇ  ｄｉｆｆｒａｃｔｉｏｎ  ｆｒｏｍ  ｔｈｅｒｍａｌｌｙ  ｆｉｘｅｄ  ｒｅｆｌｅｃｔｉｏｎ  ｈｏｌｏｇｒａｍｓ  ｉｎ  ｌｉｔｈｉｕｍ  ｎｉｏｂａｔｅ)」エレクトロニクス誌（Ｅｌｅｃｔｒｏｎｉｃｓ  Ｌｅｔｔｓ．）、１９９８年、第３４巻、第２５号、ｐ．２４１９−２４２１
【非特許文献４】チューリン，イー．ジー．（Ｃｈｕｒｉｎ，Ｅ．Ｇ．）ら、「ホログラフィック凹面格子を基にした自由空間（フリースペース）ＷＤＭルータ(Ｄｅｓｉｇｎ  ｏｆ  ｆｒｅｅ−ｓｐａｃｅ  ＷＤＭ  ｒｏｕｔｅｒ  ｂａｓｅｄ  ｏｎ  ｈｏｌｏｇｒａｐｈｉｃ  ｃｏｎｃａｖｅ  ｇｒａｔｉｎｇ)」、電気電子技術者協会  フォトニクス・テクノロジー誌（ＩＥＥＥ  Ｐｈｏｔｏｎｉｃｓ  Ｔｅｃｈｎ．  Ｌｅｔｔｓ．）、１９９９年２月、第１１巻、第２号、ｐ２２１−２２３
【非特許文献５】ＤＷＤＭ光学フィルター・アプリケーションに関するダイシングソリューション；ＡＤＴアドバンスド・ダイシング・テクノロジーの宣伝用パンフレット(Ｄｉｃｉｎｉｎｇ  Ｓｏｌｕｔｉｏｎｓ  ｆｏｒ  ＤＷＤＭ  ｏｐｔｉｃａｌ  ｆｉｌｔｅｒ  ａｐｐｌｉｃａｔｉｏｎｓ；ａｄｖｅｒｔｉｓｉｎｇ  ｂｒｏｃｈｕｒｅ  ｏｆ  ＡＤＴ  Ａｄｖａｎｃｅｄ  Ｄｉｃｉｎｇ  Ｔｅｃｈｎｏｌｏｇｉｅｓ」、ストックホルム（Ｓｔｏｃｋｈｏｌｍ）、スウェーデン（Ｓｗｅｄｅｎ）、２００３年、ｐ．２
【非特許文献６】エフィモブ  オー  エム（Ｅｆｉｍｏｖ，Ｏ．Ｍ．）ら、「光熱屈折ガラスの高効率ブラック格子(Ｈｉｇｈ−ｅｆｆｉｃｉｅｎｃｙ  ｂｒａｇｇ  ｇｒａｔｉｎｇｓ  ｉｎ  ｐｈｏｔｏｔｈｅｒｍｏｒｅｆｒａｃｔｉｖｅ  ｇｌａｓｓ)」、Ｓｅｍｉｎ．Ｃａｎｃｅｒ  Ｂｉｏｌ．、１９９９年２月１日、第３８巻、第４号、ｐ．６１９−６２７
【非特許文献７】グレボヴ，エル．ビー．（Ｇｌｅｂｏｖ，Ｌ．Ｂ．）ら、「フォリクロムガラス−体積位相ホログラムを記録する新しい物質(Ｐｈｏｌｙｃｈｒｏｍｉｃ  ｇｌａｓｓｅｓ−ａ  ｎｅｗ  ｍａｔｅｒｉａｌ  ｆｏｒ  ｒｅｃｏｒｄｉｎｇ  ｖｏｌｕｍｅ  ｐｈａｓｅ  ｈｏｌｏｇｒａｍｓ）」、Ｓｏｖ．Ｐｈｙｓ．Ｄｏｋｌ．、１９９０年１０月、第３５巻、第１０号、ｐ．８７８−８８０
【非特許文献８】グレボヴ，エル．ビー．（Ｇｌｅｂｏｖ，Ｌ．Ｂ．）、「珪酸塩ガラスに記録する高効率体積ホログラム(Ｈｉｇｈ−ｅｆｆｉｃｉｅｎｃｙ  ｖｏｌｕｍｅ  ｈｏｌｏｇｒａｍ  ｒｅｃｏｒｄｉｎｇ  ｉｎ  ｓｉｌｉｃａｔｅ  ｇｌａｓｓ)」、光学およびＣＲＥＯＬ部（Ｓｃｈｏｏｌ  ｏｆ  Ｏｐｔｉｃｓ  ａｎｄ  ＣＲＥＯＬ）、ユニバーシティ  オブ  セントラル  フロリダ（Ｕｎｉｖｅｒｓｉｔｙ  ｏｆ  Ｃｅｎｔｒａｌ  Ｆｌｏｒｉｄａ）、オーランド（Ｏｒｌａｎｄ）、フロリダ（Ｆｌｏｒｉｄａ）、ｐ．１６
【非特許文献９】グレボヴ，エル．ビー．（Ｇｌｅｂｏｖ，Ｌ．Ｂ．）、「位相ホログラム記録用の感光性ガラス（Ｐｈｏｔｏｓｅｎｓｉｔｉｖｅ  ｇｌａｓｓ  ｆｏｒ  ｐｈａｓｅ  ｈｏｌｏｇｒａｍ  ｒｅｃｏｒｄｉｎｇ）」、ガラス化学および技術誌（Ｇｌａｓｓ  Ｓｃｉｅｎｃｅ  ａｎｄ  Ｔｅｃｈｎｏｌｏｇｙ）１９９８年、第７１Ｃ巻、ｐ．８５−９０
【非特許文献１０】ヘンドウ，エス．ティー．（Ｈｅｎｄｏｗ，Ｓ．Ｔ．）、「結晶ブラック格子のレーザー光源の安定化(Ｃｒｙｓｔａｌ  ｂｒａｇｇ  ｇｒａｔｉｎｇｓ  ｓｔａｂｉｌｉｚｅ  ｌａｓｅｒ  ｓｏｕｒｃｅｓ)」、レーザーフォーカスワールド誌（Ｌａｓｅｒ  Ｆｏｃｕｓ  Ｗｏｒｌｄ）、１９９６年１１月、ｐ．Ｓ１９−Ｓ２４
【非特許文献１１】コゲルニク，エイチ．（Ｋｏｇｅｌｎｉｋ，Ｈ．）ら、「厚いホログラム格子に関する結合波理論(Ｃｏｕｐｌｅｄ  ｗａｖｅ  ｔｈｅｏｒｙ  ｆｏｒ  ｔｈｉｃｋ  ｈｏｌｏｇｒａｍ  ｇｒａｔｉｎｇｓ)」、ベル・システム・テクニカル・ジャーナル（Ｔｈｅ  Ｂｅｌｌ  Ｓｙｓｔｅｍ  Ｔｅｃｈｎｉｃａｌ  Ｊｏｕｒｎａｌ）、１９６９年１１月、第４８巻、第９号、ｐ．２９０９−２９４７
【非特許文献１２】リゥ，ジェイ．（Ｌｉｕ，Ｊ．）ら、「波長分割多重化アプリケーション用の平面傾斜する体積ホログラフィック格子のモデリングおよびデザイン（Ｍｏｄｅｌｉｎｇ  ａｎｄ  ｄｅｓｉｇｎ  ｏｆ  ｐｌａｎａｒ  ｓｌａｎｔｅｄ  ｖｏｌｕｍｅ  ｈｏｌｏｇｒａｐｈｉｃ  ｇｒａｔｉｎｇｓ  ｆｏｒ  ｗａｖｅｌｅｎｇｔｈ−ｄｉｖｉｓｉｏｎ−ｍｕｌｔｉｐｌｅｘｉｎｇ  ａｐｐｌｉｃａｔｉｏｎｓ）」、応用光学誌(Ａｐｐｌｉｅｄ  Ｏｐｔｉｃｓ)、１９９９年１２月１日、ｐ．６９８１−６９８６
【非特許文献１３】モスレヒ，ビー．（Ｍｏｓｌｅｈｉ  Ｂ．）ら、「体積ホログラフィック格子を使用した光ファイバー波長分割多重および逆多重化(Ｆｉｂｅｒ−ｏｐｔｉｃ  ｗａｖｅｌｅｎｇｔｈ−ｄｉｖｉｓｉｏｎ  ｍｕｌｔｉｐｌｅｘｉｎｇ  ａｎｄ  ｄｅｍｕｌｔｉｐｌｅｘｉｎｇ  ｕｓｉｎｇ  ｖｏｌｕｍｅ  ｈｏｌｏｇｒａｐｈｉｃ  ｇｒａｔｉｎｇｓ)」、光学誌（Ｏｐｔｉｃｓ  Ｌｅｔｔｅｒｓ）、１０月１日、１９８９年、ｐ．１０８８−１０９０
【非特許文献１４】「光学干渉フィルタ（Ｏｐｔｉｃａｌ  Ｉｎｔｅｒｆｅｒｅｎｃｅ  Ｆｉｌｔｅｒｓ）」、１７版、Ｓｐｅｃｔｒｏｇｏｎ、タビー（Ｔａｂｙ）、スウェーデン（Ｓｗｅｄｅｎ），インターネット<ｗｗｗ．ｓｐｅｃｔｒｏｇｅｎ．ｃｏｍ>、ｐ．３−２１
【非特許文献１５】チエン，ジェイ．（Ｑｉａｏ，Ｊ．）ら「高密度波長分割逆多重の分散が強化された体積ホログラム（Ｄｉｓｐｅｒｓｉｏｎ―ｅｎｈａｎｃｅｄ  ｖｏｌｕｍｅ  ｈｏｌｏｇｒａｍ  ｆｏｒ  ｄｅｎｓｅ  ｗａｖｅｌｅｎｇｔｈ  ｄｅｖｉｓｉｏｎ  ｄｅｍｕｌｔｉｐｌｅｘｅｒ）」電気電子技術者協会  フォトニクス・テクノロジー誌（ＩＥＥＥ  Ｐｈｏｔｏｎｉｃｓ  Ｔｅｃｈｏｎｏｌｏｇｙ  Ｌｅｔｔｓ．）、２０００年８月、第１２巻、第８号、ｐ．１０７０−１０７２
【非特許文献１６】ラクジー，ジー．エー．（Ｒａｋｕｌｊｉｃ，Ｇ．Ａ．）ら「体積ホログラフィック狭帯域光学フィルター（Ｖｏｌｕｍｅ  ｈｏｌｏｇｒａｐｈｉｃ  ｎａｒｒｏｗ−ｂａｎｄ  ｏｐｔｉａｌ  ｆｉｌｔｅｒ）」光工学誌（Ｏｐｔｉｃａｌ  Ｅｎｇｉｎｅｅｒｉｎｇ）１９９７年１０月、第３６巻、第１０号、ｐ．４５９−４６１
【非特許文献１７】サヤノ，ケイ．（Ｓａｙａｎｏ，Ｋ．）、「Ｃ３１  ＷＤＭネットワーク用光学ガラスのホログラフィック格子フィルター（Ｈｏｌｏｇｒａｐｈｉｃ  ｇｒａｔｉｎｇ  ｆｉｌｔｅｒｓ  ｉｎ  ｏｐｔｉｃａｌ  ｇｌａｓｓｅｓ  ｆｏｒ  Ｃ３１  ＷＤＭ  ｎｅｔｗｏｒｋｓ）」、Ａｃｃｕｗａｖｅ  Ｃｏｒｐ．、弾道ミサイル防衛局（Ｂａｌｌｉｓｔｉｃ  Ｍｉｓｓｉｌｅ  Ｄｅｆｅｎｓｅ  Ｏｒｇａｎｉｚａｔｉｏｎ）の支援の下、１９９８年５月、ＡＦＲＬ−ＳＮ−ＲＳ―ＴＲ−１９９８−８１、最終技術報告書（Ｆｉｎａｌ  Ｔｅｃｈｎｉｃａｌ  Ｒｅｐｏｒｔ）、１−３５、ＤＬ−１〜ＤＬ−３
【非特許文献１８】ティモフィーブ，エフ．エヌ．（Ｔｉｍｏｆｅｅｖ，Ｆ．Ｎ．）ら「自由空間（フリースペース）格子マルチプレクサ／デマルチプレクサおよび高密度に間隔を置いて配置されるＷＤＭネットワーク用の波長ルータ（Ｆｒｅｅ−ｓｐａｃｅ  ｇｒａｔｉｎｇ  ｍｕｌｔｉ／ｄｅｍｕｌｔｉｐｌｅｘｅｒ  ａｎｄ  ｗａｖｅｌｅｎｇｔｈ―ｒｏｕｔｅｒ  ｆｏｒ  ｄｅｎｓｅｌｙ  ｓｐａｃｅｄ  ＷＤＭ  ｎｅｔｗｏｒｋｓ）」、ＩＥＥ、１９９７年１１月１日−１１月５日、ｐ．３７２−３７３
【非特許文献１９】チャオ，エフ．（Ｚｈａｏ，Ｆ．）ら「光ネットワーク用の、信頼性のある格子を基にした波長分割（デ）マルチプレクサ（Ｒｅｌｉａｂｌｅ  ｇｒａｔｉｎｇ−ｂａｓｅｄ  ｗａｖｅｌｅｎｇｈ  ｄｉｖｉｓｉｏｎ  （ｄｅ）ｍｕｌｔｉｐｌｅｘｅｒｓ  ｆｏｒ  ｏｐｔｉｃａｌ  ｎｅｔｗｏｒｋｓ）」、Ｏｐｔ．Ｅｎｇ．，２００１年７月、第４０巻、第７号、ｐ．１２０４−１２１１
【非特許文献２０】チャオ，エフ．（Ｚｈａｏ，Ｆ．），ら「多重化ブラック格子を使用したサブピコメータ精度レーザー波長センサー（Ｓｕｂｐｉｃｏｍｅｔｅｒ  ａｃｃｕｒａｃｙ  ｌａｓｅｒ  ｗａｖｅｌｅｎｇｔｈ  ｓｅｎｓｏｒ  ｕｓｉｎｇ  ｍｕｌｔｉｐｌｅｘｅｄ  ｂｒａｇｇ  ｇｒａｔｉｎｇｓ）」、電気電子技術者協会  フォトニクス・テクノロジー誌（ＩＥＥＥ  Ｐｈｏｔｏｎｉｃｓ  Ｔｅｃｈｎｏｌｏｇｙ  Ｌｅｔｔｓ．），１９９７年１１月、第９巻、第１１号、ｐ．１４９３−１４９５
【非特許文献２１】チャオ，エフ．（Ｚｈａｏ，Ｆ．）ら「ホログラフィックブラック格子を基にした紫外線カルシウムＫ線狭帯域画像化フィルター（Ｕｌｔｒａｖｉｏｌｅｔ  Ｃａ  Ｋ−ｌｉｎｅ  ｎａｒｒｏｗ−ｂａｎｄｗｉｄｔｈ  ｉｍａｇｉｎｇ  ｆｉｌｔｅｒｓ  ｂａｓｅｄ  ｏｎ  ｈｏｌｏｇｒａｐｈｉｃ  Ｂｒａｇｇ  ｇｒａｔｉｎｇｓ  ｉｎ  ｐｈｏｔｏｒｅｆｒａｃｔｉｖｅ  ｍａｔｅｒｉａｌｓ）」、光工学誌（Ｏｐｎ．Ｅｎｇ．），１９９７年１０月、第３６巻、第１０号、ｐ．２９１８−２９２１